(57)【要約】  本記載は、ボールノーズミリングカッタをクランプするためのチャックを備え、当該チャックは、ウォームギヤ１１１およびねじ１１３を有するウォームギヤ装置を備え、当該チャックが、第１の内ねじ山１１８を有するスリーブ１０３を備え、当該スリーブ１０３が、ウォームギヤ１１１の回転運動によって軸方向に可動であり、当該ボールノーズミリングカッタの第１の外ねじ山１０５が、第１の内ねじ山１１８に係合するように配設される。
2014525844.tif 000002
【特許請求の範囲】
【請求項１】
ウォームギヤ（１１１）およびねじ（１１３）を有するウォームギヤ装置を含む、ボールノーズミリングカッタをクランプするためのチャックであって、
前記チャックが、第１の雌ねじ山（１１８）を有するスリーブ（１０３）を含み、前記スリーブ（１０３）が、前記ウォームギヤ（１１１）の回転運動によって軸方向に動かされ得、前記ボールノーズミリングカッタの第１の雄ねじ山（１０５）が、前記第１の雌ねじ山（１１８）に係合するように配設されることを特徴とする、チャック。
【請求項２】
前記スリーブ（１０３）が、第２の雄ねじ山（１０１）を有し、前記第２の雄ねじ山（１０１）が前記ウォームギヤ（１１１）の第２の雌ねじ山（１１９）内に係合し得るように、前記第２の雄ねじ山（１０１）が配設されることを特徴とする、請求項１に記載のチャック。
【請求項３】
前記第２の雄ねじ山（１０１）が、前記第１の雌ねじ山（１１８）に対向して配設されることを特徴とする、請求項１または２に記載のチャック。
【請求項４】
前記ボールノーズミリングカッタ用の止め具（１１６）を有することを特徴とする、請求項１から３のいずれか一項に記載のチャック。
【請求項５】
前記スリーブ（１０３）用の止め具（１１７）を有することを特徴とする、請求項１から４のいずれか一項に記載のチャック。
【請求項６】
前記ねじ（１１３）が、内部プロファイル、たとえば六角穴を有し、および／または、前記内部プロファイルが、外側から接触され得ることを特徴とする、請求項１から５のいずれか一項に記載のチャック。
【請求項７】
中空のシャンクのテーパ界面（１１５）または急傾斜の円錐形の界面を有することを特徴とする、請求項１から６のいずれか一項に記載のチャック。
【請求項８】
前記ボールノーズミリングカッタの円錐形の区間（１０７）を収容するための内方円錐（１２０）を有することを特徴とする、請求項１から７のいずれか一項に記載のチャック。
【発明の詳細な説明】
【技術分野】
【０００１】
本発明は、ボールノーズミリングカッタをクランプするためのチャックに関する。
【背景技術】
【０００２】
先行技術では、爪 (jaw)チャックまたはクランプチャックが公知であり、当該チャックを用いて、ボールノーズミリングカッタなどの工具が、工作機械内にクランプされ得る。
【発明の概要】
【発明が解決しようとする課題】
【０００３】
工具、特にボールノーズミリングカッタは、工作物を機械加工する間に、たとえば横荷重も含めた、高い機械的荷重に晒される。したがって、当該工具が、それぞれの工作機械内に、できるだけ機械的に安定にクランプされるということが確実化されるべきである。加えて、高い生産量を達成するためには、工具の、より一層短い切り替え時間が必要とされている。したがって、関わっている操作要員は、相反する目標、すなわち、多くの時間を必要とする、工具を工作機械に安定して取り付けることと、及び迅速に工具切り替えを行うことに直面することが考えられる。
【０００４】
したがって、本目的は、短い工具切り替え時間をやはり可能にしながらも、機械的に極めて安定したクランプを実現する、チャックを提供することである。
【課題を解決するための手段】
【０００５】
この発明の第１の実施形態として提供されるものが、ボールノーズミリングカッタをクランプするためのチャックであり、当該チャックは、ウォームギヤ（worm gear）およびねじ（screw）を有するウォームギヤ装置を備え、当該チャックが、第１の雌ねじ山を有するスリーブを含み、スリーブが、ウォームギヤの回転運動によって軸方向に動かされ得、ボールノーズミリングカッタの第１の雄ねじ山が、第１の雌ねじ山に係合するように配設される。
【０００６】
この発明は、チャックの内側に、ボールノーズミリングカッタがその中にねじ込まれ得るスリーブを設け、当該スリーブが、ウォームギヤ装置によって軸方向にトラバースされるように設計され得る。このことは有利にも、ボールノーズミリングカッタを保持するねじ山と、ウォームギヤ内に係合して、クランプ目的のための軸方向の動きを可能にするねじ山とが、２つの異なる別個のねじ山であることを確保する。したがって、操作要員が、ボールノーズミリングカッタをスリーブ内に充分に深くねじ込んだ場合、当該ボールノーズミリングカッタと工作機械との間で全体的に機械的に安定な接続が確保され得るが、その理由は、ボールノーズミリングカッタをクランプするための軸方向のトラバースにもかかわらず、ねじ山を１回だけ、または単に数回回しただけでは、ウォームギヤ装置の内側にスリーブを固定するのに決して充分ではないことを、工具自体から間違いないものとすることができるからである。
【０００７】
例示的な実施形態については、従属請求項に記載する。
【０００８】
この発明の例示的な実施形態は、チャックを提供し、スリーブが、第２の雄ねじ山を有し、当該第２の雄ねじ山がウォームギヤの第２の雌ねじ山内に係合し得るように、当該第２の雄ねじ山が配設される。
【０００９】
スリーブとウォームギヤ装置との間の連結は、雄ねじ山／雌ねじ山の接続によって確立され得、構造上の観点から、ウォームギヤの回転運動を介したスリーブの軸方向の移動の達成を容易にする。
【００１０】
この発明による別の実施形態は、チャックを提供し、第２の雄ねじ山が、第１の雌ねじ山に対向して配設される。
【００１１】
第１の雌ねじ山を第２の雄ねじ山に対向して配設することにより、細長い前側領域を用いてチャックを延長することが可能になり、それによって、ボールノーズミリングカッタは、より一層横倒しになったボール経路を切削加工することもできるようになる。
【００１２】
本発明の別の例示的な実施形態は、チャックを提供し、当該チャックが、ボールノーズミリングカッタ用の止め具を有する。
【００１３】
止め具は、この発明によると、それぞれのボールノーズミリングカッタがスリーブ内に充分に深くねじ込まれることを確実にすることができ、ボールノーズミリングカッタに対する機械的に安定なクランプを達成することを可能にする。
【００１４】
この発明の例示的な実施形態は、チャックを提供し、当該チャックが、スリーブ用の止め具を有する。
【００１５】
スリーブ用の止め具は、当該スリーブがチャック内に深く貫入し過ぎることを防止することができ、詰まりの防止を可能にする。
【００１６】
この発明による別の実施形態は、チャックを提供し、ねじが、内部プロファイル、たとえば六角穴を有し、および／または、当該内部プロファイルが、外側から接触され得る。
【００１７】
内部プロファイル、たとえば六角穴の配設は、たとえば、ソケットレンチまたはフックレンチを使用することにより、ウォームギヤ装置を前進させることを容易にし、工具、たとえばボールノーズミリングカッタのクランプおよびクランプ解除の実施を可能にする。
【００１８】
本発明の別の例示的な実施形態は、チャックを提供し、当該チャックが、中空のシャンクのテーパ界面または急傾斜の円錐形の界面を有する。
【００１９】
中空のシャンクのテーパ界面または急傾斜のテーパ界面を配設することにより、対応する工作機械内に、機械的に安定にチャックを挿入することが可能になる。
【００２０】
この発明による別の実施形態は、チャックを提供し、当該チャックが、ボールノーズミリングカッタの円錐形の区分を収容するための内方円錐を有する。
【００２１】
ボールノーズミリングカッタの円錐形の区分を収容するための、チャックの円錐形の領域は、それぞれのチャック内において、ボールノーズミリングカッタの調心を行なうことを可能にする。
【００２２】
この発明の１つの着想には、スリーブを有するチャックを提供することが含まれ、当該スリーブが、ウォームギヤ装置によって軸方向に変位されるように設計されており、ボールノーズミリングカッタに対し、着脱式に機械的に接続され得、たとえば、ボルト締めされ得る。スリーブのねじ山を用いて、スリーブを軸方向に動かすことができる。次いで、結局のところ、第１のねじ山は、ボールノーズミリングカッタとの接続のために設けられ得、別のねじ山は、軸方向のトラバースのために設けられ得る。
【００２３】
当然ながら、個々の特徴を互いに組み合わせることもでき、このことは、部分的に、個々の効果の総計を上回る有利な効果を生じ得る。
【００２４】
この発明のさらなる詳細および利点を、図面に描かれる例示的な実施形態から探し出すことができる。以下の図に示されるのは、次のようなものである。
【図面の簡単な説明】
【００２５】
【図１】ボールノーズミリングカッタ用のチャックの図である。
【発明を実施するための形態】
【００２６】
図１は、ボールノーズミリングカッタ用のチャックを示し、当該ボールノーズミリングカッタは、いくつかの区間、たとえば特定的に、スリーブ１０３の雌ねじ山１１８内に係合し得る雄ねじ山１０５を有する区間を有する。円錐形の設計を有する別の区間１０７は、受け口１０６の内方円錐１２０内にクランプされ得、工具ヘッド１０９は、工作物を処理するための刃１０８を有する。このチャックは、ウォームギヤ１１３によって駆動され得るウォームギヤ１１１によってボールノーズミリングカッタをクランプおよびクランプ解除するためのウォームギヤ装置を有する。たとえば、ウォームギヤ１１３は、中にフックレンチが係合し得る六角穴を含み得る。このようにして、ウォームギヤ１１１を、外側からその長手方向軸の周囲において回転させることができ、それによってスリーブ１０３は、軸方向に、すなわち、その長手方向軸１２１に沿って、雌ねじ山／雄ねじ山の接続をトラバースさせることができる。スリーブ１０３の軸方向の動きにより、当該スリーブ１０３が中空のシャンクのテーパ界面１１５の方向に動かされた場合に、チャック内に配置されたボールノーズミリングカッタをクランプすることが可能になる。スリーブ１０３が中空のシャンクのテーパ界面１１５から離して動かされた場合、ボールノーズミリングカッタは、ねじ込みを解除され得、すなわち、雄ねじ山１０５が、スリーブ１０３からねじ込みを解除され、工具は、取り替えが可能になる。クランプの過程には、ボールノーズミリングカッタをチャック内に配置することが含まれ、ボールノーズミリングカッタは、スリーブ１０３内にねじ込まれる。たとえば、挿入されたフックレンチを使用して、ねじ１１３をその長手方向軸の周囲に回転させることにより、ウォームギヤ１１１は、その長手方向軸の周囲に回転させられて、スリーブ１０３は、中空のシャンクのテーパ界面１１５に向けて動かされ得、たとえば、ボールノーズミリングカッタもまた、中空のシャンクのテーパ界面１１５に向けて動くように仕向けられ、位置１１６において、当該ボールノーズミリングカッタを受け口１０６に当接させ、それによって、ボールノーズミリングカッタをクランプする。この発明によるクランプの原理を有利にも使用して、スリーブ１０３およびウォームギヤ１１１が、操作員の誤りにより、ねじ山を数回または単一回だけ回すことによってのみ係合されることを、防止することができる。その結果、ウォームギヤ１１１からのスリーブ１０３の脱落を、信頼可能な態様で防止することができる。
【００２７】
「含む（comprise）」という用語が、ちょうど、「ａ」または「ａｎ」という用語がいくつかの要素を除外しないのと同様に、他の要素または手続き上のステップを排除しないことに注意されたい。
【００２８】
使用される参照番号は、理解し易さを高めるためにだけ機能しており、限定として決して解釈されるべきではなく、この発明の保護範囲は、請求項によって記載されている。
【符号の説明】
【００２９】
１０１  スリーブの雄ねじ山
１０２  軸受
１０３  スリーブ
１０４  軸受
１０５  ボールノーズミリングカッタの雄ねじ山
１０６  チャックの受け口
１０７  ボールノーズミリングカッタの円錐形の区間
１０８  ボールノーズミリングカッタの刃
１０９  ボールノーズミリングカッタのヘッド
１１０  受け口の自由空間
１１１  ウォームギヤ（worm gear）
１１２  軸受
１１３  ねじ（screw）
１１４  軸受
１１５  中空のシャンクのテーパ界面
１１６  止め具
１１７  止め具
１１８  スリーブの雌ねじ山
１１９  ウォームギヤの雌ねじ山
１２０  チャックの内方円錐
１２１  長手方向軸
【図１】
2014525844.tif 000003
【国際調査報告】
2014525844.tif 000004
2014525844.tif 000005
2014525844.tif 000006
2014525844.tif 000007
2014525844.tif 000008
2014525844.tif 000009